(57)【特許請求の範囲】
【請求項１】
図書をスキャンして得たスキャンデータから特徴点を抽出し、特徴点情報を生成し、図書情報を提供する図書館が運営する外部サーバーから前記図書における図書情報を受信し、ＤＢに前記特徴点情報とマッチング保存し、前記図書をスキャンして配布する事業者の事業者装置から前記図書をスキャンして得たスキャンデータにおける特徴点抽出を介して生成された特徴点情報を含む要請情報を受信した場合、前記要請情報に含まれた特徴点情報に基づいて前記ＤＢを検索して得られた図書情報を前記事業者装置に提供するブックスキャン図書管理サーバー；及び
前記事業者装置から前記図書情報及び事業者情報を受信し、これに基づいて登録コードを前記事業者装置に発給し、前記事業者装置から前記登録コードと前記図書情報及び前記事業者情報とを含む電子書籍コンテンツを提供されたユーザー装置から前記登録コードを受信した後、既発給され、保存された登録コードと比べて前記電子書籍コンテンツにおける有効性を検証し、検証の結果を前記ユーザー装置に提供するブックスキャンログ管理サーバーを含み、
前記ユーザー装置は、前記登録コードと前記図書情報及び前記事業者情報とを含む前記電子書籍コンテンツから同登録コードを抽出して、同登録コードを前記事業者装置に発給した前記ブックスキャンログ管理サーバーに転送するビューアー部を有する
スキャンイメージの著作権管理システム。
【請求項２】
前記図書情報は、ＩＳＢＮ情報と著作権情報とを含む
ことを特徴とする請求項１に記載のスキャンイメージの著作権管理システム。
【請求項３】
前記ブックスキャン図書管理サーバーは、各種のコンテンツを共有する共有サーバーから前記電子書籍コンテンツをアップロードする時、前記ブックスキャン図書管理サーバーで提供する前記特徴点抽出のためのＡＰＩを用いて、アップロードされた前記電子書籍コンテンツから抽出した特徴点情報を受信し、ＤＢに保存された特徴点情報と一致する場合、前記共有サーバーに前記アップロードされた電子書籍コンテンツの共有不可、または、有料販売のための著作権登録情報を転送する
ことを特徴とする請求項１に記載のスキャンイメージの著作権管理システム。
【請求項４】
前記要請情報に含まれた特徴点情報は、前記図書をスキャンして得たスキャンデータから前記ブックスキャン図書管理サーバーで提供する前記特徴点抽出のためのＡＰＩを用いて抽出される
ことを特徴とする請求項１に記載のスキャンイメージの著作権管理システム。
【請求項５】
前記ブックスキャン図書管理サーバーは、
図書をスキャンして得た電子書籍コンテンツから特徴点を抽出し、特徴点情報を生成する特徴点抽出部と；
前記外部サーバーから前記図書における図書情報を受信し、前記特徴点抽出部を介して生成された特徴点情報と前記図書情報とをマッチングし、前記ＤＢに保存する図書管理部；及び
前記事業者装置から前記要請情報を受信した後、前記要請情報に含まれた特徴点情報と前記ＤＢとを比べて、前記要請情報に含まれた特徴点情報と一致するか、類似度が既設定された基準値以上である特徴点情報にマッチングされた図書情報を抽出して前記事業者装置に転送する比較部とを含む
ことを特徴とする請求項１に記載のスキャンイメージの著作権管理システム。
【請求項６】
ブックスキャン図書管理サーバーが図書をスキャンして得たスキャンデータから特徴点を抽出して特徴点情報を生成し、図書情報を提供する図書館が運営する外部サーバーから前記図書における図書情報を受信してＤＢに前記特徴点情報とマッチング保存する段階と；
前記ブックスキャン図書管理サーバーが前記図書をスキャンして配布する事業者の事業者装置から前記図書をスキャンして得たスキャンデータにおける特徴点抽出を介して生成された特徴点情報を含む要請情報を受信した場合、前記要請情報に含まれた特徴点情報に基づいて前記ＤＢを検索して得られた図書情報を前記事業者装置に提供する段階と；
ブックスキャンログ管理サーバーが前記事業者装置から前記図書情報及び事業者情報を受信して、これに基づいて登録コードを前記事業者装置に発給する段階；及び
前記ブックスキャンログ管理サーバーが、前記事業者装置から前記登録コード、前記図書情報及び事業者情報とを含む電子書籍コンテンツを提供されたユーザー装置から、前記登録コードを受信した後、既発給された登録コードと比べて、前記事業者装置の電子書籍コンテンツにおける有効性を検証し、検証の結果を前記ユーザー装置に提供する段階とを含み、
前記ユーザー装置は、前記登録コードと前記図書情報及び前記事業者情報とを含む前記電子書籍コンテンツから同登録コードを抽出して、同登録コードを前記事業者装置に発給した前記ブックスキャンログ管理サーバーに転送するビューアー部を有する
スキャンイメージの著作権管理方法。
【発明の詳細な説明】
【技術分野】
【０００１】  本発明は、スキャンイメージの著作権管理システム及び方法に関する。より詳しくは、スキャンした図書における正確な識別とスキャン行為におけるログ記録を介して報償金の策定とともに、報償金の徴収及び配分が容易になるように支援すると同時に、スキャンした図書がデジタルの形でウェブハードのような共有サーバーにアップロードされることを防止するためのスキャンイメージの著作権管理システム及び方法に関する。
【背景技術】
【０００２】
現在、ユーザー端末を介して電子書籍を購読するユーザーが増加するにつれて、一般図書をスキャンした電子書籍をユーザー端末に保存して、便利に閲覧しようとする要求が増加している。
【０００３】
しかし、こういった電子書籍は、その特性上、一般書籍より容易に複製できるのみならず、通信網を介して同時配布ができるため、図書の著作権者、または、出版社にとって、こういう図書のスキャン行為における拒否感は相当なものである。
【０００４】
しかし、こういう図書のスキャン行為を根本的に防止するのは、不可能であるため、現在、図書の著作者や出版社は、著作権信託団体と協業し、スキャン許諾対象の図書と許諾範囲とを設定し、ブックスキャンサービス事業者をしてスキャン許諾対象の図書のスキャンを介した電子書籍の生成及び配布を許諾し、前記電子書籍を配布するための前記電子書籍の複製をする度に、前記ブックスキャンサービス事業者から所定の報償金を支給される方案を模索中である。
【０００５】
しかし、こういうスキャン行為が許諾範囲内で正常的になされているかを確認することに限界があり、正確な報償金の策定が難しく、依然として既存のスキャン許容における不信を表している。
【０００６】
また、電子書籍を配布されたユーザーがウェブハードのようなＯＳＰ（Ｏｎｌｉｎｅ  Ｓｅｒｖｉｃｅ  Ｐｒｏｖｉｄｅｒ）サーバーに転送しないという保障がないため、著作権者はスキャン許容による報償金支給の他に、スキャンを介して生成された電子書籍コンテンツの複製及び無断配布の防止のための追加的代案の準備を要求している。
【先行技術文献】
【特許文献】
【０００７】
【特許文献１】韓国公開特許第１０‐２０００‐００５４４７７号
【発明の概要】
【発明が解決しようとする課題】
【０００８】
本発明は、著作権者から許可をもらった図書のスキャンデータから抽出した特徴点に基づいて図書情報ＤＢを構築、管理し、ブックスキャン図書を生成しようとするブックスキャン事業者から生成されたブックスキャン図書の特徴点と前記図書情報ＤＢに基づいて著作権のある電子書籍を検出し、スキャンを介して生成された電子書籍の無断配布を事前に遮断することにその目的がある。
【０００９】
また、本発明は、前記図書情報ＤＢと前記ブックスキャン事業者における事業者情報を基に、前記ブックスキャン図書のための登録コードを発行し、ユーザーがブックスキャン図書の有効性を検証できるように提供すると同時に、事業者のスキャン行為による報償金の策定及び配分が容易になされるよう、支援することにその目的がある。
【課題を解決するための手段】
【００１０】  本発明の実施例によるスキャンイメージの著作権管理システムは、著作権者から許可をもらった図書のスキャンデータから特徴点を抽出し、国立中央図書館などのような図書における情報を提供する外部サーバーから前記図書における図書情報を受信して、ＤＢに前記特徴点情報とマッチング保存し、前記図書をスキャンして配布する事業者の事業者装置から前記図書をスキャンして得たスキャンデータにおける特徴点抽出を介して生成された特徴点情報を含む要請情報を受信した場合、前記要請情報に含まれた特徴点情報に基づいて、前記ＤＢを検索して得られた図書情報を前記事業者装置に提供するブックスキャン図書管理サーバー及び前記事業者装置から前記図書情報及び事業者情報を受信し、これに基づいて、登録コードを前記事業者装置に発給し、前記事業者装置から前記登録コードと、前記図書情報及び前記事業者情報とを含む電子書籍コンテンツを提供されたユーザー装置から前記登録コードを受信した後、既発給され、保存された登録コードと比べて、前記電子書籍コンテンツにおける有効性を検証し、検証の結果を前記ユーザー装置に提供するブックスキャンログ管理サーバーとを含むことができる。【００１１】
本発明に関する一例として、前記図書情報は、ＩＳＢＮ情報と、著作権情報とを含むことを特徴とすることができる。
【００１２】
本発明に関する一例として、前記ブックスキャン図書管理サーバーは、各種のコンテンツを共有する共有サーバーに前記電子書籍コンテンツをアップロードする時、前記ブックスキャン図書管理サーバーで提供する前記特徴点抽出のためのＡＰＩを用いて、アップロードされた前記電子書籍コンテンツから抽出した特徴点情報を受信して、ＤＢに保存された特徴点情報と一致する場合、前記共有サーバーに前記アップロードされた電子書籍コンテンツの共有不可、または、有料販売のための著作権登録情報を転送することを特徴とすることができる。
【００１３】
本発明に関する一例として、前記要請情報に含まれた特徴点情報は、前記図書をスキャンして得たスキャンデータから前記ブックスキャン図書管理サーバーで提供する前記特徴点抽出のためのＡＰＩを用いて抽出されることを特徴とすることができる。
【００１４】
本発明に関する一例として、前記ブックスキャン図書管理サーバーは、図書をスキャンして得た電子書籍コンテンツから特徴点を抽出して、特徴点情報を生成する特徴点抽出部と、前記外部サーバーから前記図書における図書情報を受信し、前記特徴点抽出部を介して生成された特徴点情報と前記図書情報とをマッチングして、ＤＢに保存する図書管理部及び前記事業者装置から前記要請情報を受信した後、前記要請情報に含まれた特徴点情報と前記ＤＢとを比べて、前記要請情報に含まれた特徴点情報と一致するか、類似度が既設定された基準値以上である特徴点情報にマッチングされた図書情報を抽出して前記事業者装置に転送する比較部とを含むことができる。
【００１５】  本発明に関する一例として、前記スキャンイメージの著作権管理システムは、前記ユーザー装置に構成され、前記電子書籍コンテンツから前記登録コードを抽出して前記ブックスキャンログ管理サーバーに転送するビューアー部をさらに含むことを特徴とすることができる。【００１６】  本発明の実施例によるスキャンイメージの著作権管理の方法は、ブックスキャン図書管理サーバーが著作権者によってスキャンが許諾された図書をスキャンして得たスキャンデータから特徴点を抽出して、特徴点情報を生成し、外部サーバーから前記図書における図書情報を受信して、ＤＢに前記特徴点情報とマッチング保存する段階と、前記ブックスキャン図書管理サーバーが前記図書をスキャンして配布する事業者の事業者装置から前記図書をスキャンして得たスキャンデータにおける特徴点抽出を介して生成された特徴点情報を含む要請情報を受信した場合、前記要請情報に含まれた特徴点情報に基づいて、前記ＤＢを検索して得られた図書情報を前記事業者装置に提供する段階と、前記ブックスキャンログ管理サーバーが前記事業者装置から前記図書情報及び事業者情報を受信し、これに基づいて、登録コードを前記事業者装置に発給する段階及び前記ブックスキャンログ管理サーバーが前記事業者装置から前記登録コードと、前記図書情報及び事業者情報とを含む電子書籍コンテンツを提供されたユーザー装置から前記登録コードを受信した後、既発給された登録コードと比べて、前記事業者装置の電子書籍コンテンツにおける有効性を検証し、検証の結果を前記ユーザー装置に提供する段階とを含むことができる。
【発明の効果】
【００１７】
本発明は、著作権者によって指定されたスキャンが許可された図書における前記事業者装置のスキャン行為ごとに適法性を認めるための登録コードを前記事業者装置に発給して前記図書のスキャンを介して生成された電子書籍コンテンツに挿入されるようにすることによって、登録コードの発給による正確な報償金の策定とともに、報償金の徴収及び配分を容易に支援できると同時に、前記電子書籍コンテンツを無断配布する時、前記電子書籍コンテンツに発給された登録コードに基づいて、責任の所在を明らかにすることができて、前記図書に対応する電子書籍コンテンツの無断配布を事前に遮断する効果がある。
【００１８】
また、本発明は、適法のスキャン行為によって生成された電子書籍コンテンツの違法的共有が発生した場合にも、特徴点の比較を介してアップロードされた電子書籍コンテンツを明らかに識別して無断配布を防止する効果がある。
【図面の簡単な説明】
【００１９】
【図１】本発明の実施例によるスキャンイメージの著作権管理システムの構成環境図である。
【図２】本発明の実施例による代表図である。
【図３】本発明の実施例による共有サーバーを介してアップロードされた電子書籍コンテンツの無断配布を防止するための構成図である。
【図４】本発明の実施例によるブックスキャン図書管理サーバーの詳細構成図である。
【図５】本発明の実施例によるスキャンイメージの著作権管理方法における順序図である。
【発明を実施するための形態】
【００２０】
以下に、図面を参考し、本発明の詳細実施例を説明する。
【００２１】  図１は、本発明の実施例によるスキャンイメージの著作権管理システムの構成環境図であり、図示のように、スキャンイメージの著作権管理システムは、著作権者によってスキャンが許諾された図書をスキャンして得たスキャンデータから特徴点を抽出して保存し、国立中央図書館のような図書におけるＩＳＢＮ（Ｉｎｔｅｒｎａｔｉｏｎａｌ  Ｓｔａｎｄａｒｄ  Ｂｏｏｋ  Ｎｕｍｂｅｒ、国際標準図書番号）情報、図書名、出版社、著作者、出版日などにおける図書情報を提供する機関が運営する外部サーバー３００から通信網を介して前記図書に対応する図書情報を収集した後、前記特徴点における特徴点情報とマッチングして、ＤＢ１０１に保存及び管理するブックスキャン図書管理サーバー１００と、ユーザーから前記図書のスキャンを依頼され、前記図書に対応する電子書籍コンテンツを生成して、前記ユーザーのユーザー装置１０に転送する事業者装置２０において、前記図書におけるスキャン行為の許可のための登録コードを前記電子書籍コンテンツに挿入されるようにして、発給された登録コードを保存した前記電子書籍コンテンツを提供されたユーザー装置１０がブックスキャン図書管理サーバー１００と前記登録コードの認証を介して、前記電子書籍コンテンツの有効性を検証するブックスキャンログ管理サーバー２００とを含むことができる。
【００２２】
この時、本発明で説明する通信網は、知られた様々な通信方式を適用することができて、前記ユーザー装置１０及び事業者装置２０は、通信機能、出力機能、各種のインターフェース機能を備えるタブレットＰＣ（Ｔａｂｌｅｔ  ＰＣ）、ラップトップ（Ｌａｐｔｏｐ）、スマートフォン（Ｓｍａｒｔ  Ｐｈｏｎｅ）、携帯端末（Ｐｏｒｔａｂｌｅ  Ｔｅｒｍｉｎａｌ）、移動端末（Ｍｏｂｉｌｅ  Ｔｅｒｍｉｎａｌ）、携帯情報端末（Ｐｅｒｓｏｎａｌ  Ｄｉｇｉｔａｌ  Ａｓｓｉｓｔａｎｔ：ＰＤＡ）、ＰＭＰ（Ｐｏｒｔａｂｌｅ  Ｍｕｌｔｉｍｅｄｉａ  Ｐｌａｙｅｒ）端末、パーソナルコンピューター（Ｐｅｒｓｏｎａｌ  Ｃｏｍｐｕｔｅｒ）、ウェアラブル端末（ｗｅａｒａｂｌｅ  ｐｅｒｓｏｎａｌ  ｓｔａｔｉｏｎ：ＷＰＳ）などのような様々な端末を含むことができる。
また、事業者装置２０は、サーバーで構成されることもある。
【００２３】
現在、大学の教材においては、チャプター（ｃｈａｐｔｅｒ）単位でコピーされ、学生達が回覧できるよう、著作権者が許諾しているが、これは大学から学生一人当たり、一定金額の複製報償金をもらっているから可能である。
【００２４】
複製報償金における徴収は、韓国複製転送権協会（以下、複転協）が一括処理し、配分も複転協に登録された大学教材においてのみなされている。
【００２５】
このように、大学教材を含めて、紙図書及び漫画がスキャナーを介して、スキャン図書になる場合、これにおける報償金徴収と配分をするためには、スキャン図書の正確な識別とスキャン行為におけるログ記録、そして、スキャン図書がデジタルの形でウェブハードのような共有サーバー４００にアップロードされることを防止することが要求される。
【００２６】
従って、本発明によるブックスキャン図書管理サーバー１００は、複転協のような機関、出版社、または、著作者（作家）のような著作権者によってスキャンが許可された図書の正確な識別のために図書のスキャンを介して得られたスキャンデータから特徴点抽出を介して生成された特徴点情報と、これにマッチングされた図書情報に基づいて、事業者装置２０のスキャンの対象図書における識別が明らかになされるようにして、共有サーバー４００に前記図書をスキャンした電子書籍コンテンツがアップロードされる場合、これを容易に検出して電子書籍コンテンツの無断配布が防止されるようにする。
【００２７】
また、本発明によるブックスキャンログ管理サーバー２００は、著作権者によってスキャンが許可された前記図書における前記事業者装置２０のスキャン行為ごとに適法性を認めるための登録コードを前記事業者装置２０に発給して前記図書のスキャンを介して生成された電子書籍コンテンツに挿入されるようにすることによって、登録コードの発給による正確な報償金の策定とともに、報償金の徴収及び配分を容易に支援できると同時に、前記電子書籍コンテンツを無断配布する時、前記電子書籍コンテンツに発給された登録コードに基づいて、責任の所在を明らかにすることができて、前記図書に対応する電子書籍コンテンツの無断配布を事前に遮断するようにできる。
【００２８】  前述の構成に基づいて、図２を通じて本発明の実施例によるスキャンイメージの著作権管理システムの詳細構成を説明する。
【００２９】
図２に図示するように、ブックスキャン図書管理サーバー１００は、著作権者によってスキャンが許諾された図書を、スキャナー１０２を介してスキャンして得たスキャンデータから特徴点を抽出して、特徴点情報を生成することができる。
【００３０】
この時、前記スキャンデータは、イメージの形で構成されることができて、そのほかにも前記ブックスキャン図書管理サーバー１００が出版図書をスキャンし、文字認識処理をして得たテキストファイルをＨＴＭＬに変換して、ＨＴＭＬで構成された前記スキャンデータを生成することもできる。
【００３１】
また、前記ブックスキャン図書管理サーバー１００は、前記スキャナー１０２のほかにも、著作者や出版社からＨＴＭＬ、または、イメージの形で直接前記スキャンデータを提供されることもできる。
【００３２】
また、ブックスキャン図書管理サーバー１００は、前記図書において、前記著作権者から獲得して、予め保存されたＩＳＢＮ情報を国立中央図書館のような機関で運営する外部サーバー３００に転送し、前記外部サーバー３００から前記図書に関する図書名、出版社、著作者、出版日などを含む著作権情報及び前記ＩＳＢＮ情報を含む図書情報を受信し、該図書情報を前記特徴点情報とマッチングして、ＤＢ１０１に保存することができる。
【００３３】
一方、ユーザーから前記図書におけるスキャンを介して電子書籍コンテンツの製作を依頼された事業者の事業者装置２０は、スキャナー２１を介して前記図書におけるスキャンデータを生成し、前記ブックスキャン図書管理サーバー１００が提供する前記特徴点抽出のためのＡＰＩ（Ａｐｐｌｉｃａｔｉｏｎ  Ｐｒｏｇｒａｍ  Ｉｎｔｅｒｆａｃｅ）を用いて、前記スキャンデータから特徴点を抽出し、特徴点情報を生成することができて、該特徴点情報を含む要請情報を前記ブックスキャン図書管理サーバー１００に通信網を介して転送することができる。
【００３４】
この時、前記事業者装置によって生成されたスキャンデータもＨＴＭＬ、または、イメージの形で構成されることができる。
【００３５】
言い替えれば、前記事業者装置２０は、特徴点抽出のために、前記ブックスキャン図書管理サーバー１００が用いるアルゴリズムと同じアルゴリズムを用いて前記図書から特徴点を抽出して生成した特徴点情報を前記ブックスキャン図書管理サーバー１００に提供することができる。
【００３６】
これによって、前記ブックスキャン図書管理サーバー１００は、前記事業者装置２０から受信した前記要請情報に含まれた特徴点情報をＤＢ１０１と比べて、前記ＤＢ１０１から前記要請情報に含まれた特徴点情報と同一であるか、類似度が予め設定された基準値以上である特徴点情報にマッチングされた図書情報を抽出することができて、抽出された図書情報を事業者装置２０に通信網を介して転送することができる。
【００３７】
この時、前記ブックスキャン図書管理サーバー１００は、前記要請情報に含まれた特徴点情報と一致する特徴点情報がＤＢ１０１に存在するが、該特徴点情報とマッチングする図書情報がない場合、前記事業者装置２０に前記要請情報に対応する図書のＩＳＢＮ情報を要請することができる。
【００３８】
これによって、前記ブックスキャン図書管理サーバー１００は、前記事業者装置２０から前記要請情報に対応するＩＳＢＮ情報を受信して前記外部サーバー３００に転送し、前記外部サーバー３００から前記要請情報に対応するＩＳＢＮ情報で検索された図書情報を受信して前記事業者装置２０に転送することもできる。
【００３９】
一方、事業者装置２０は、前記図書情報を受信して予め保存された事業者情報とともに、前記ブックスキャンログ管理サーバー２００に通信網を介して転送することができる。
【００４０】
これによって、前記ブックスキャンログ管理サーバー２００は、前記事業者装置２０から受信された図書情報と事業者情報に基づいて、登録コードを発給し、前記事業者装置２０に転送して、前記登録コードの発給を介して適法のスキャン行為を認証することができる。
【００４１】
また、前記ブックスキャンログ管理サーバー２００は、前記登録コードを発給する度に、発給された登録コードに対応するログ情報を生成して、保存することができる。
【００４２】
これを通じて、前記ブックスキャンログ管理サーバー２００は、前記図書におけるスキャンの回数を前記ログ情報に基づいて判断し、前記事業者装置２０において、前記図書におけるスキャン行為によって発生される報償金の策定と徴収のための資料で前記ログ情報を用いるか、前記ログ情報を複転協で運営するサーバーに転送して、前記図書のスキャン行為による報償金の配分がなされるように支援することができる。
【００４３】
一方、前記事業者装置２０は、前記図書における電子書籍コンテンツを生成し前記登録コード、図書情報及び事業者情報とを前記電子書籍コンテンツに挿入して、前記図書のスキャンを依頼したユーザー装置１０に通信網を介して転送することができる。
【００４４】
この時、前記事業者装置は、前記電子書籍コンテンツをＥＰＵＢ（ｅｌｅｃｔｒｏｎｉｃ  ｐｕｂｌｉｃａｔｉｏｎ）、または、ＰＤＦの形で生成することができる。
【００４５】
これによって、前記電子書籍コンテンツを受信したユーザー装置１０に設けられたビューアー部１１は、前記電子書籍コンテンツを閲覧して、ユーザー装置１０の出力部を介して表示することができる。
【００４６】
この時、事業者装置２０は、前記電子書籍コンテンツを予め設定された符号化アルゴリズムによって符号化し、ユーザー装置１０に転送することもできて、ユーザー装置１０のビューアー部１１は、符号化された電子書籍コンテンツを復号化して、前記ユーザー装置１０の出力部を介して表示することができる。この時、符号化とともに、コンテンツの保護方式の一例として、ＤＲＭ（Ｄｉｇｉｔａｌ  Ｒｉｇｈｔｓ  Ｍａｎａｇｅｍｅｎｔ）が適用されることができる。
【００４７】
一方、前記ビューアー部１１は、前記登録コード、図書情報及び事業者情報とを含む電子書籍コンテンツから前記登録コードを抽出して、前記ブックスキャンログ管理サーバー２００に転送することができて、前記ブックスキャンログ管理サーバー２００は、前記登録コードを予め保存されたログ情報と比べて前記電子書籍コンテンツの有効性を検証することができる。
【００４８】
従って、前記ブックスキャンログ管理サーバー２００は、前記登録コードに対応するログ情報が存在する場合、有効の電子書籍コンテンツで判断し、これによる検証の結果を前記ユーザー装置１０に提供することができる。
【００４９】
この時、前記ブックスキャンログ管理サーバー２００は、前記複転協で運営するサーバーであることがあって、各図書における報償金の基準と、スキャンの許容範囲と、スキャン行為の許容期間などとを含むスキャン許諾情報を予め保存することができて、前記スキャン許諾情報に基づいて、前記登録コードの発給の可否を決めることができる。
【００５０】
また、前記ブックスキャンログ管理サーバー２００は、前記スキャン許諾情報に含まれた報償金基準によって、前記図書において、収集された前記ログ情報に基づいて、報償金徴収額を決めて、前記事業者装置２０に転送することによって、前記事業者装置２０から前記図書のスキャン回数などによる報償金の徴収を履行することができて、前記報償金の基準によって、予め設定された比率で前記事業者装置２０から徴収された報償金を配分して、複転協、著作者、または、出版社各々の配分金額における金額情報を算出して保存することができる。
【００５１】
これを通じて、ブックスキャンログ管理サーバー２００は、スキャン行為による正確な報償金を算出するための根拠資料を生成することができて、これを介して報償金の徴収及び配分が正確になされるように支援することができる。
【００５２】
加えて、前記ブックスキャンログ管理サーバー２００は、前記ブックスキャン図書管理サーバー１００に前記スキャン許諾情報を転送して、前記スキャン許諾情報に対応する図書に限って、前記事業者装置２０に前記図書情報が提供されるようにすることができる。
【００５３】
一方、前記電子書籍コンテンツを閲覧するビューアー部１１は、前記電子書籍コンテンツを閲覧する時、前記電子書籍コンテンツに含まれた登録コードとともに、前記ユーザー装置１０の識別情報を前記ブックスキャンログ管理サーバー２００に自動転送するようにすることができて、前記ブックスキャンログ管理サーバー２００から前記登録コードの有効性が検証された場合にのみ、前記電子書籍コンテンツが復号化され、閲覧されるようにすることもできる。
【００５４】
これによって、前記ブックスキャンログ管理サーバー２００は、前記登録コードとユーザー装置１０の識別情報とをマッチングして、保存することができて、追って違法の前記電子書籍コンテンツの無断配布によって、他のユーザー装置１０のビューアー部１１から前記登録コードを転送する場合、有効性の検証が失敗するようにして、前記電子書籍コンテンツが他のユーザー装置１０のビューアー部１１で閲覧できないようにすることもできる。
【００５５】
加えて、前記ブックスキャンログ管理サーバー２００は、図書情報と事業者情報に基づいて、発給された登録コードに基づいて、前記電子書籍コンテンツを無断配布する時、前記電子書籍コンテンツから抽出されて転送された前記登録コードとマッチングする事業者情報、または、前記ユーザー装置１０の識別情報に基づいて、責任の所在を明らかに把握することができる。
【００５６】
このように、本発明は、複転協、著作者、または、出版社のような著作権者によってスキャンが許可された前記図書における前記事業者装置２０のスキャン行為ごとに適法性を認めるための登録コードを前記事業者装置２０に発給して、前記図書のスキャンを介して生成された電子書籍コンテンツに挿入されるようにすることによって、登録コードの発給による報償金の徴収と配分を容易に支援できると同時に、前記電子書籍コンテンツを無断配布する時、前記電子書籍コンテンツに発給された登録コードに基づいて、責任の所在を明らかにすることができて、前記図書に対応する電子書籍コンテンツの無断配布を事前に遮断するようにすることができる。
【００５７】
一方、本発明は、前記図書におけるスキャンの依頼を介して、前記事業者装置２０から前記電子書籍コンテンツを受信したユーザー装置１０が共有サーバー４００に前記電子書籍コンテンツを違法アップロードする場合、これを容易に検出して、前記電子書籍コンテンツの違法的共有を事前に遮断することができて、これを図３の構成に基づいて詳しく説明する。
【００５８】
図３に図示するように、前記電子書籍コンテンツを受信したユーザー装置１０が各種のコンテンツを共有する共有サーバー４００に前記電子書籍コンテンツをアップロードする場合、前記共有サーバー４００は、前記ブックスキャン図書管理サーバー１００から提供する前記特徴点抽出のためのＡＰＩを用いて、アップロードされた前記電子書籍コンテンツから特徴点を抽出し、抽出した特徴点における特徴点情報を生成して、前記ブックスキャン図書管理サーバー１００に通信網を介して転送することができる。
【００５９】
前記ブックスキャン図書管理サーバー１００は、前記共有サーバー４００から受信された特徴点情報をＤＢ１０１と比べて一致する特徴点情報にマッチングされた図書情報から著作権情報を抽出することができる。
【００６０】
以後、前記ブックスキャン図書管理サーバー１００は、前記著作権情報を前記共有サーバー４００に転送することができて、前記共有サーバー４００は、前記著作権情報を受信する時、前記ユーザー装置１０によってアップロードされた電子書籍コンテンツにおいて、著作権を設定し、予め設定された政策情報によって著作権が設定された前記電子書籍コンテンツの共有を遮断するか、有料と転換して共有がなされるようにすることができる。
【００６１】
この時、前記共有サーバー４００は、有料と設定された電子書籍コンテンツの共有によって発生した報償金を著作権者に支給して適法の共有がなされるようにすることができる。
【００６２】
これを通じて、本発明は、適法のスキャン行為によって生成された電子書籍コンテンツの違法的共有が発生した場合にも、特徴点の比較を介してアップロードされた電子書籍コンテンツを明らかに識別して無断配布を防止することができる。
【００６３】
図４は、本発明の実施例によるブックスキャン図書管理サーバー１００の詳細構成を図示した構成図であり、図示のように、特徴点抽出部１１０、図書管理部１２０及び比較部１３０を含むことができる。
【００６４】
まず、前記特徴点抽出部１１０は、前記ブックスキャン図書管理サーバー１００と連結されたスキャナー１０２と連動して、図書をスキャンして得たスキャンデータから予め設定されたＡＰＩを用いて特徴点を抽出し、抽出した特徴点における特徴点情報を生成することができる。
【００６５】
また、前記図書管理部１２０は、前記図書におけるＩＳＢＮ情報を前記外部サーバー３００に転送し、前記外部サーバー３００から前記ＩＳＢＮ情報に対応する図書情報を受信した後、前記特徴点抽出部から提供された前記特徴点情報と前記図書情報とをマッチングして、ＤＢ１０１に保存することができる。
【００６６】
一方、前記比較部１３０は、前記事業者装置２０から前記図書をスキャンして得たスキャンデータから特徴点抽出を介して生成された特徴点情報を含む要請情報を受信した後、前記要請情報に含まれた特徴点情報と前記ＤＢ１０１とを比べて、前記要請情報に含まれた特徴点情報と一致するか、類似度が既設定された基準値以上である特徴点情報にマッチングする図書情報を前記ＤＢ１０１から抽出した後、前記事業者装置２０に転送することができる。
【００６７】
また、前記比較部１３０は、前記共有サーバー４００から前記電子書籍コンテンツから得た特徴点情報を受信して前記ＤＢ１０１と比べることができて、これを介して、前記電子書籍コンテンツから得た特徴点情報と一致するか、類似度が既設定された基準値以上である特徴点情報にマッチングする図書情報を前記ＤＢ１０１から抽出し、抽出された図書情報から著作権情報を抽出して、前記共有サーバー４００に転送することもできる。
【００６８】
この時、前記図書情報には、前述のようにＩＳＢＮ情報と、著作権情報とを含むことができる。
【００６９】
前述の構成から、前記特徴点抽出部１１０は、図２及び図３に図示するように、前記事業者装置２０及び共有サーバー４００にでも構成することができて、これによって、前記事業者装置２０及び共有サーバー４００は、前記ＡＰＩを用いて前記ブックスキャン図書管理サーバー１００と同一の特徴点抽出アルゴリズムによって特徴点を抽出し、特徴点情報を生成することができる。
【００７０】
これを通じて、前記比較部１３０は、前記事業者装置２０及び共有サーバー４００から同一の特徴点抽出アルゴリズムによって抽出した特徴点を相互比較して、図書における明確な識別がなされることができて、これに基づいて、報償金徴収及び配分とともに、共有の遮断における機能を正確に遂行することができる。
【００７１】    図５は、本発明の実施例によるスキャンイメージの著作権管理方法における順序図であり、ブックスキャン図書管理サーバー１００は、著作権者によってスキャンが許諾された図書をスキャンして得たスキャンデータから特徴点を抽出し、特徴点情報を生成し（Ｓ１）、図書情報を直接入力するか、外部サーバー３００から前記図書における図書情報を受信して（Ｓ２）、ＤＢ１０１に前記特徴点情報とマッチング保存することができる（Ｓ３）。
【００７２】
以後、前記ブックスキャン図書管理サーバー１００は、前記図書をスキャンして配布する事業者の事業者装置２０から前記図書をスキャンして得たスキャンデータにおける特徴点抽出を介して生成された特徴点情報を含む要請情報を受信した場合（Ｓ４）、前記要請情報に含まれた特徴点情報に基づいて、前記ＤＢ１０１を検索して得た図書情報を前記事業者装置２０に提供することができる（Ｓ５）。
【００７３】
次に、ブックスキャンログ管理サーバー２００は、前記事業者装置２０から前記図書情報及び事業者情報を受信した場合（Ｓ６）、前記図書情報及び事業者情報に基づいて、登録コードを前記事業者装置２０に発給することができる（Ｓ７）。
【００７４】
以後、前記ブックスキャンログ管理サーバー２００は、前記事業者装置２０から前記登録コード、前記図書情報及び事業者情報とを含む電子書籍コンテンツを提供されたユーザー装置１０から前記登録コードを受信した場合（Ｓ８）、既発給された登録コードと比べて、前記事業者装置２０の電子書籍コンテンツにおける有効性を検証し、検証の結果を前記ユーザー装置１０に提供することができる（Ｓ９）。
【００７５】
前述の内容は、本発明の属する技術分野で通常の知識を有する者ならば、本発明の本質的特性から外れない範囲で修正および変形ができるはずである。従って、本発明に開示の実施例は、本発明の技術事象を限定するためのものではなく、説明するためのものであり、このような実施例によって本発明の技術事象の範囲が限定されることはない。本発明の保護範囲は、下の請求範囲によって解釈されるべきであり、それと同等の範囲内にある全ての技術事象は、本発明の権利範囲に含まれるものと解釈するべきである。
【符号の説明】
【００７６】
１０    ユーザー装置
１１    ビューアー部
２０    事業者装置
２１    スキャナー
１００    ブックスキャン図書管理サーバー
１０１    ＤＢ
１０２    スキャナー
１１０    特徴点抽出部
１２０    図書管理部
１３０    比較部
２００    ブックスキャンログ管理サーバー
３００    外部サーバー
４００    共有サーバー
【図１】
0006469872.tif 000002
【図２】
0006469872.tif 000003
【図３】
0006469872.tif 000004
【図４】
0006469872.tif 000005
【図５】
0006469872.tif 000006